(57)【要約】【課題】駐車空間の奥側の幅も考慮して自車両が駐車可能な駐車空間を検出する。【解決手段】本開示の駐車空間検出装置は、車両判定部と幅算出部と駐車判定部とを備えている。Ｓ４００〜Ｓ４０４、Ｓ４０８、Ｓ４１２において車両判定部は、駐車空間を探索する車載の探索部から取得する探索情報に基づいて、駐車空間の両側の少なくとも一方側に他車両が存在するか否かを判定する。Ｓ４１４〜Ｓ４２２、Ｓ４２６において幅算出部は、車両判定部が駐車空間の両側の少なくとも一方側に他車両が存在すると判定すると、駐車空間の入口側の幅（Ｗｆ）と駐車空間の奥側の幅（Ｗｒ）とを探索情報に基づいて算出する。Ｓ４２４、Ｓ４２８において駐車判定部は、幅算出部が算出する入口側の幅と奥側の幅との両方と自車両の大きさとに基づいて、駐車空間に自車両が駐車可能であるか否かを判定する。【選択図】図３
2018190220.tif 000002
【特許請求の範囲】
【請求項１】
自車両（２００）の駐車空間（１１０）を検出する駐車空間検出装置（３０）であって、
前記駐車空間を探索する車載の探索部（１０〜１６、２０〜２６）から取得する探索情報に基づいて、前記駐車空間の両側の少なくとも一方側に他車両（２２０、２３０）が存在するか否かを判定するように構成された車両判定部（４０、５２、Ｓ４００〜Ｓ４０４、Ｓ４０８、Ｓ４１２）と、
前記車両判定部が前記駐車空間の両側の少なくとも一方側に前記他車両が存在すると判定すると、前記駐車空間の入口側の幅（Ｗｆ）と前記駐車空間の奥側の幅（Ｗｒ）とを前記探索情報に基づいて算出するように構成された幅算出部（５２、Ｓ４１４〜Ｓ４２２、Ｓ４２６）と、
前記幅算出部が算出する前記入口側の幅と前記奥側の幅との両方と前記自車両の大きさとに基づいて、前記駐車空間に前記自車両が駐車可能であるか否かを判定するように構成された駐車判定部（５２、Ｓ４２４、Ｓ４２８）と、
を備える駐車空間検出装置。
【請求項２】
請求項１に記載の駐車空間検出装置であって、
前記車両判定部は、前記探索情報として、前記探索部が照射する探査波による第１の探索情報と、前記探索部が撮像する画像データによる第２の探索情報とを取得し、前記第１の探索情報に基づいて前記駐車空間の両側の少なくとも一方側に物体が存在すると判定すると、前記第２の探索情報に基づいて前記物体が前記他車両であるか否かを判定するように構成されている、
駐車空間検出装置。
【請求項３】
請求項１または２に記載の駐車空間検出装置であって、
並列駐車において前記駐車空間の両側に前記他車両が存在する場合、前記幅算出部は、前記駐車空間に面した前記他車両のそれぞれの入口側のタイヤと接地面とが接する入口側位置のうち、前記駐車空間の奥側の前記入口側位置における前記駐車空間の幅を入口側の幅として算出し、前記他車両のそれぞれの前記入口側位置から前記自車両の全長分を奥側の前記タイヤと前記接地面とが接する奥側位置に向けて延長した線分の２個の終端位置を前記駐車空間の入口側から見たときの前記駐車空間の幅を奥側の幅として算出し、
並列駐車において前記駐車空間の一方側に前記他車両が存在し他方側に前記他車両が存在しない場合、前記幅算出部は、前記駐車空間に面した前記他車両の前記入口側位置と、前記駐車空間の前記他車両が存在しない他方側の白線の入口側位置とのうち、前記駐車空間の奥側の前記入口側位置における前記駐車空間の幅を入口側の幅として算出し、前記他車両の前記入口側位置と前記白線の前記入口側位置とのそれぞれから、前記他車両の前記奥側位置と前記白線の奥側位置とに向けて前記自車両の全長分を延長した線分の２個の終端位置を前記駐車空間の入口側から見たときの幅を奥側の幅として算出するように構成されている、
駐車空間検出装置。
【請求項４】
請求項３に記載の駐車空間検出装置であって、
前記入口側の幅と前記奥側の幅とに基づいて前記駐車空間に前記自車両が駐車可能と前記駐車判定部が判定すると、前記入口側の幅と、前記奥側の幅と、前記駐車空間の両側の前記線分のそれぞれと前記駐車空間の幅方向とが形成する傾斜角度（θ１、θ２）と、前記入口側の幅と前記奥側の幅と２個の前記傾斜角度とにより形成される四角形の少なくともいずれかの頂点の位置とを、前記駐車空間に駐車する前記自車両の走行を制御する走行制御装置に出力するように構成された通知部（５２、Ｓ４３０）をさらに備える、
駐車空間検出装置。
【請求項５】
請求項４に記載の駐車空間検出装置であって、
前記駐車空間の両側の少なくとも一方側に存在する物体が車両ではないと前記車両判定部が判定すると、
前記駐車判定部は、前記駐車空間に前記自車両が駐車できるか否かを判定しないように構成されており、
前記通知部は、前記駐車空間の両側の少なくとも一方側に存在する物体が車両ではないことを前記走行制御装置に出力するように構成されている、
駐車空間検出装置。
【発明の詳細な説明】
【技術分野】
【０００１】
本開示は、自車両が駐車する駐車空間を検出する技術に関する。
【背景技術】
【０００２】
自車両が駐車できる駐車空間を検出する技術として、例えば、特許文献１に記載されている技術が知られている。特許文献１に記載されている技術では、超音波センサ、レーザレーダ、ミリ波レーダ等のセンサを用いて駐車空間の両側に駐車している他車両までの距離を検出し、距離データ系列から他車両の入口側の輪郭形状を特定している。
【０００３】
そして、特許文献１に記載されている技術では、駐車空間の両側に駐車している他車両の入口側の輪郭形状において、駐車空間を挟んで対向する端部同士の距離を駐車空間の幅としている。この駐車空間の幅と自車両との大きさを比較して、駐車空間に自車両が駐車できるか否かが判定される。
【先行技術文献】
【特許文献】
【０００４】
【特許文献１】特許第５７８６７７５号公報
【発明の概要】
【発明が解決しようとする課題】
【０００５】
特許文献１に記載の技術では、駐車空間の両側に駐車している他車両同士の入口側の距離を駐車空間の幅としているが、他車両同士の奥側の距離は考慮されていない。
その結果、例えば、他車両が斜めに駐車しているために、駐車空間の入口側よりも奥側の幅が狭くなっていることがある。この場合、他車両同士の入口側の距離に基づいて自車両が駐車空間に駐車可能であると判定しても、駐車空間の奥側の幅が狭いために自車両が駐車空間に駐車できないという課題がある。
【０００６】
本開示は、駐車空間の奥側の幅も考慮して自車両が駐車可能な駐車空間を検出する。
【課題を解決するための手段】
【０００７】
本開示の一態様は、自車両（２００）の駐車空間（１１０）を検出する駐車空間検出装置（３０）であって、車両判定部（４０、５２、Ｓ４００〜Ｓ４０４、Ｓ４０８、Ｓ４１２）と、幅算出部（５２、Ｓ４１４〜Ｓ４２２、Ｓ４２６）と、駐車判定部（５２、Ｓ４２４、Ｓ４２８）とを備えている。
【０００８】
車両判定部は、駐車空間を探索する車載の探索部（１０〜１６、２０〜２６）から取得する探索情報に基づいて、駐車空間の両側の少なくとも一方側に他車両（２２０、２３０）が存在するか否かを判定する。幅算出部は、車両判定部が駐車空間の両側の少なくとも一方側に他車両が存在すると判定すると、駐車空間の入口側の幅（Ｗｆ）と駐車空間の奥側の幅（Ｗｒ）とを探索情報に基づいて算出する。駐車判定部は、幅算出部が算出する入口側の幅と奥側の幅との両方と自車両の大きさとに基づいて、駐車空間に自車両が駐車可能であるか否かを判定する。
【０００９】
この構成によれば、例えば、車両が斜めに駐車しているために駐車空間の奥側の幅が入口側の幅より狭く、駐車空間の入口側の幅と奥側の幅とが異なっているときにも、駐車空間に自車両が駐車可能か否かを高精度に判定できる。
【００１０】
尚、この欄および特許請求の範囲に記載した括弧内の符号は、一つの態様として後述する実施形態に記載の具体的手段との対応関係を示すものであって、本開示の技術的範囲を限定するものではない。
【図面の簡単な説明】
【００１１】
【図１】本実施形態による駐車空間検出システムを示すブロック図。
【図２】駐車している他車両の状態を示す説明図。
【図３】駐車空間検出処理を示すフローチャート。
【図４】駐車空間を示す模式図。
【発明を実施するための形態】
【００１２】
以下、本開示の実施形態を図に基づいて説明する。
［１．構成］
図１に示す駐車空間検出システム２は、フロント超音波センサ１０と右超音波センサ１２と左超音波センサ１４とリヤ超音波センサ１６とフロントカメラ２０と右カメラ２２と左カメラ２４とリヤカメラ２６と駐車空間検出装置３０とを備えている。
【００１３】
フロント超音波センサ１０と右超音波センサ１２と左超音波センサ１４とリヤ超音波センサ１６とは、それぞれ自車両の前方向、右方向、左方向、後方向に探査波として超音波を照射して反射波を受信する。
【００１４】
フロントカメラ２０と右カメラ２２と左カメラ２４とリヤカメラ２６とは、それぞれ自車両の前方向、右方向、左方向、後方向を撮像して画像データを出力する。
駐車空間検出装置３０は、超音波処理部４０と画像歪補正部５０と画像処理部５２とメモリ５４と車載信号処理部６０とを備えている。駐車空間検出装置３０は、例えばドライバが駐車支援スイッチをオンにすると、駐車空間の検出処理を開始する。
【００１５】
駐車空間検出装置３０は、ＣＰＵとＲＯＭとＲＡＭとフラッシュメモリとなどを備えるマイクロコンピュータにより構成されている。ＲＯＭとＲＡＭとフラッシュメモリとは、非遷移的実体的記録媒体である半導体メモリである。駐車空間検出装置３０は、一つのマイクロコンピュータを搭載してもよいし、複数のマイクロコンピュータを搭載してもよい。
【００１６】
駐車空間検出装置３０の各種機能は、ＣＰＵが非遷移的実体的記録媒体に記憶されているプログラムを実行することにより実現される。このプログラムをＣＰＵが実行することで、プログラムに対応する方法が実行される。
【００１７】
駐車空間検出装置３０の各種機能を実現する手法は、ソフトウェアに限るものではなく、その一部または全部の要素を、論理回路やアナログ回路等を組み合わせたハードウェアを用いてもよい。
【００１８】
超音波処理部４０は、フロント超音波センサ１０と右超音波センサ１２と左超音波センサ１４とリヤ超音波センサ１６とから、探索情報として、超音波の照射方向と、超音波を照射してから反射波を受信するまでの時間とを取得する。そして、超音波処理部４０は、取得した探索情報に基づいて、照射方向に物体が存在するか否かと、物体が存在する場合は物体までの距離とを検出する。
【００１９】
図２では、白線１００で区画された駐車空間に３台の他車両２１０、２２０、２３０が駐車している例を示している。自車両２００が駐車場内を移動しているときに、超音波処理部４０は、主に左右の超音波センサから取得する前述した探索情報に基づいて、自車両２００に対する他車両２１０、２２０、２３０の方向と、他車両２１０、２２０、２３０までの距離とを検出する。
【００２０】
超音波処理部４０は、他車両２１０、２２０、２３０の方向と、他車両２１０、２２０、２３０までの距離とを画像処理部５２に出力する。他車両２１０、２２０、２３０の方向と、他車両２１０、２２０、２３０までの距離とから、自車両２００に対する他車両２１０、２２０、２３０の相対位置を算出できる。
【００２１】
画像歪補正部５０は、広角レンズを使用したフロントカメラ２０と右カメラ２２と左カメラ２４とリヤカメラ２６とが撮像して出力する画像データに含まれる画像の歪みを、各カメラの広角レンズの特性に基づいて補正する。
【００２２】
画像処理部５２は、画像歪補正部５０で補正された画像データをフレーム毎にメモリ５４に格納する。メモリ５４は、例えばリングバッファで構成され、最も古いフレームが最新のフレームにより上書きされる。
【００２３】
画像処理部５２は、例えば図２において、他車両２１０、２２０、２３０の方向と、他車両２１０、２２０、２３０までの距離とに基づいて、自車両２００に対する他車両２１０、２２０、２３０の相対位置を算出する。画像処理部５２は、自車両２００に対する他車両２１０、２２０、２３０の相対位置と後述する平面座標系における自車両２００の位置とから、平面座標系における他車両２１０、２２０、２３０の位置を算出する。
【００２４】
自車両２００に対する他車両２１０、２２０、２３０の相対位置を超音波処理部４０が算出してもよい。さらに、平面座標系における他車両２１０、２２０、２３０の位置を超音波処理部４０が算出してもよい。
【００２５】
画像処理部５２は、他車両２１０、２２０、２３０の位置に基づいて、他車両２２０と他車両２３０との間に、自車両２００が駐車可能な駐車空間の候補として駐車空間１１０が存在することを検出する。そして、駐車空間１１０の入口側の幅Ｗｆと奥側の幅Ｗｒとを算出し、駐車空間１１０に自車両２００が駐車できるか否かを判定する。入口側の幅Ｗｆと奥側の幅Ｗｒとの算出の詳細については、後述される。
【００２６】
車載信号処理部６０は、車速センサから車速を取得し、操舵角センサから操舵角を取得する。車載信号処理部６０は、例えば駐車支援スイッチがオンになり駐車空間の検出処理が開始されたときの自車両の前輪車軸の中心位置等の基準位置を原点とした平面座標系において、取得した車速と操舵角とに基づいて自車両の原点からの移動方向と移動量とを算出する。
【００２７】
そして、算出した移動方向と移動量から平面座標系における自車両の位置を算出する。車載信号処理部６０は、平面座標系と算出した自車両の位置とを画像処理部５２に出力する。
【００２８】
［２．処理］
以下、駐車空間検出装置３０が実行する駐車空間検出処理を、図３のフローチャートに基づいて説明する。図３のフローチャートは、例えばドライバが駐車支援スイッチをオンにすると実行される。
【００２９】
図４のＳ４００において超音波処理部４０は、超音波センサ１０〜１６の出力信号に基づいて、自車両２００の周囲に存在する物体の自車両に対する方向と自車両との距離とを検出する。Ｓ４０２において画像歪補正部５０は、フロントカメラ２０と右カメラ２２と左カメラ２４とリヤカメラ２６とが撮像する画像データの歪みを、広角レンズの特性に基づいて補正する。
【００３０】
Ｓ４０４において画像処理部５２は、Ｓ４００における超音波処理部４０の検出結果に基づいて、駐車空間の両側の少なくとも一方に物体が存在するか否かを判定する。Ｓ４０４の判定がＮｏである、つまり駐車空間の両側に物体が存在しない場合、Ｓ４０６において画像処理部５２は、駐車空間の両側に白線が存在するか否かを判定する。
【００３１】
Ｓ４０６の判定がＮｏである、つまり駐車空間の両側に物体が存在せず、さらに白線も存在しない場合、本処理は終了する。Ｓ４０６の判定がＹｅｓである、つまり駐車空間の両側に物体は存在しないが白線が存在する場合、処理はＳ４１４に移行する。Ｓ４１４の処理は後述される。
【００３２】
Ｓ４０４の判定がＹｅｓである、つまり駐車空間の両側の少なくとも一方に物体が存在する場合、Ｓ４０８において画像処理部５２は、画像歪補正部５０から取得する画像データに基づいて、駐車空間の両側の少なくとも一方に存在する物体が車両であるか否かを、パターンマッチング等の処理で判定する。
【００３３】
Ｓ４０８の判定がＮｏである、つまり駐車空間の両側の少なくとも一方に存在する物体が車両ではない場合、Ｓ４１０において画像処理部５２は、駐車空間の両側の少なくとも一方に存在する物体が車両ではないことを走行制御装置７０に出力する。
【００３４】
Ｓ４０８の判定がＹｅｓである、つまり駐車空間の両側の少なくとも一方に存在する物体が車両の場合、Ｓ４１２において画像処理部５２は、駐車空間の両側に車両が存在するか否かを判定する。
【００３５】
Ｓ４１２の判定がＮｏである、つまり駐車空間の両側の一方側に車両が存在し他方側に車両が存在しない場合、処理はＳ４１４に移行する。Ｓ４１２の判定がＹｅｓである、つまり駐車空間の両側に車両が存在する場合、処理はＳ４１６に移行する。
【００３６】
Ｓ４１４において画像処理部５２は、駐車空間の両側の一方に車両が存在し片方は白線の場合、あるいは駐車空間の両側に車両が存在せず駐車空間が白線で区画される場合、上記平面座標系において自車両から見たときの白線の開始位置である入口側位置と、白線の終了位置である奥側位置とを算出する。Ｓ４１４の終了後、処理はＳ４１８に移行する。
【００３７】
Ｓ４１６において画像処理部５２は、駐車空間の両側の少なくとも一方に存在する車両の入口側のタイヤと接地面とが接する入口側位置と、奥側のタイヤと接地面とが接する奥側位置とを平面座標系において算出し、処理をＳ４１８に移行する。
【００３８】
Ｓ４１８において画像処理部５２は、駐車空間の両側に車両が駐車しているか、片側だけに駐車しているかのいずれの場合にも、図４に示すように、駐車空間１１０の右側の入口側位置２４０と奥側位置２４２とを通る直線２４４の式、ならびに左側の入口側位置２５０と奥側位置２５２とを通る直線２５４の式を算出する。
【００３９】
Ｓ４２０において画像処理部５２は、直線２４４、２５４がそれぞれ駐車空間１１０の幅方向と形成する傾斜角度として、例えば、入口側位置２４０、２５０のうち駐車空間１１０の奥側の入口側位置２５０を通り直線２４４に向けて駐車空間１１０の幅方句に延びる直線３００と直線２４４、２５４とがそれぞれ形成する傾斜角度θ１、θ２を、画像解析により算出する。
【００４０】
Ｓ４２２において画像処理部５２は、例えば、入口側位置２５０の座標と、直線３００と直線２４４との交点３０２の座標とに基づいて、入口側位置２５０における駐車空間１１０の幅を入口側の幅Ｗｆとして算出する。
【００４１】
Ｓ４２４において画像処理部５２は、入口側の幅Ｗｆが所定の閾値１よりも大きいか否かを判定する。閾値１として、例えば駐車空間１１０の入口に自車両２００が進入するときの余裕率Ｋ１を自車両２００の車幅Ｗに乗算した値が設定されている。Ｋ１は１よりも大きく２よりも小さい値に設定される。
【００４２】
Ｓ４２４の判定がＮｏである、つまり入口側の幅Ｗｆが所定の閾値１以下の場合、画像処理部５２は、自車両２００が駐車空間１１０に駐車することは困難であると判断し、本処理を終了する。
【００４３】
Ｓ４２４の判定がＹｅｓである、つまり入口側の幅Ｗｆが所定の閾値１よりも大きい場合、Ｓ４２６において画像処理部５２は、駐車空間１１０の奥側の幅Ｗｒを次のように算出する。
【００４４】
画像処理部５２は、駐車空間１１０の両側の入口側位置２４０、２５０のそれぞれから自車両２００の全長分Ｌを奥側位置２４２、２５２に向けて延長した線分の直線２４４、２５４上の終端位置２４６、２５６を駐車空間１１０の入口側から見たときの駐車空間１１０の幅を奥側の幅Ｗｒとして算出する。
【００４５】
Ｓ４２８において画像処理部５２は、奥側の幅Ｗｒが所定の閾値２よりも大きいか否かを判定する。閾値２として、例えば駐車空間１１０の奥側に自車両２００が進入するときの余裕率Ｋ２を自車両２００の車幅Ｗに乗算した値が設定されている。閾値１と閾値２とは、同じ値であってもよいし、自車両２００の形状に応じて異なる値であってもよい。
【００４６】
Ｓ４２８の判定がＮｏである、つまり奥側の幅Ｗｒが所定の閾値２以下の場合、画像処理部５２は、駐車空間１１０に自車両２００が駐車することは困難であると判断し、本処理を終了する。
【００４７】
Ｓ４２８の判定がＹｅｓである、つまり奥側の幅Ｗｒが所定の閾値２よりも大きい場合、画像処理部５２は、自車両２００は駐車空間１１０に駐車できると判断する。この場合、Ｓ４３０において画像処理部５２は、傾斜角度θ１、θ２と、入口側の幅Ｗｆと、奥側の幅Ｗｒと、入口側の幅Ｗｆと奥側の幅Ｗｒと傾斜角度θ１、θ２とにより形成される四角形の少なくともいずれかの頂点の位置として、例えば駐車空間１１０の奥側の入口側位置２５０の座標とを、自車両２００の操舵とブレーキと車速とを制御する走行制御装置７０に出力する。
【００４８】
走行制御装置７０は、駐車空間検出装置３０が出力する傾斜角度θ１、θ２と、入口側の幅Ｗｆと、奥側の幅Ｗｒと、入口側の幅Ｗｆと奥側の幅Ｗｒと傾斜角度θ１、θ２とにより形成される四角形の少なくともいずれかの頂点の位置の座標とに基づき、駐車空間１１０に駐車する自車両２００の走行を制御する。
【００４９】
尚、駐車空間検出装置３０は、図３のフローチャートが示す駐車空間検出処理を、自車両が駐車可能な駐車空間を検出するまで、カメラ２０〜２６が撮像する画像データの各フレーム毎に実行する。全ての駐車空間の候補について駐車空間検出処理を実行しても駐車可能な駐車空間が検出できない場合、駐車空間検出装置３０は、駐車空間が存在しないことを、音声または画像表示灯でドライバに報知する。
【００５０】
［３．効果］
上記実施形態によると、以下の効果を得ることができる。
（ａ）図２に示すように、駐車空間１１０の両側に駐車している他車両２２０、２３０が斜めに駐車しているために駐車空間１１０の奥側の幅が入口側の幅より狭い場合でも、駐車空間１１０に自車両２００が駐車可能か否かを高精度に判定できる。
【００５１】
（ｂ）駐車空間の入口側の幅が自車両の幅よりも大きいために駐車空間への駐車を開始しても、駐車の途中で駐車空間の奥側の幅が自車両の幅以下のために駐車できないことを抑制できる。これにより、駐車空間に進入中に駐車を中止して別の駐車空間を検出することを抑制できるので、駐車空間を検出するために要する時間を短縮できる。
【００５２】
（ｃ）駐車空間１１０に自車両２００が駐車できる場合、自車両２００の操舵とブレーキと車速とを制御する走行制御装置７０は、駐車空間１１０について、傾斜角度θ１、θ２と入口側の幅Ｗｆと奥側の幅Ｗｒとを駐車空間検出装置３０から取得する。走行制御装置７０は、取得した傾斜角度θ１、θ２と入口側の幅Ｗｆと奥側の幅Ｗｒとに基づいて、駐車空間１１０に自車両２００を駐車できる。
【００５３】
以上説明した上記実施形態において、フロント超音波センサ１０と右超音波センサ１２と左超音波センサ１４とリヤ超音波センサ１６とフロントカメラ２０と右カメラ２２と左カメラ２４とリヤカメラ２６とが探索部に対応し、超音波処理部４０が車両判定部に対応し、画像処理部５２が車両判定部と幅算出部と駐車判定部と通知部とに対応する。
【００５４】
また、駐車空間検出装置３０がフロント超音波センサ１０と右超音波センサ１２と左超音波センサ１４とリヤ超音波センサ１６とから取得する超音波の照射方向と、超音波を照射してから反射波を受信するまでの時間とが第１の探索情報に対応し、駐車空間検出装置３０がフロントカメラ２０と右カメラ２２と左カメラ２４とリヤカメラ２６とから取得する画像データが第２の探索情報に対応する。
【００５５】
また、上記実施形態において、Ｓ４００〜Ｓ４０４、Ｓ４０８、Ｓ４１２が車両判定部の処理に対応し、Ｓ４１４〜Ｓ４２２、Ｓ４２６が幅算出部の処理に対応し、Ｓ４２４、Ｓ４２８が駐車判定部の処理に対応し、Ｓ４３０が通知部の処理に対応する。
【００５６】
［４．他の実施形態］
（１）上記実施形態では、奥側の幅Ｗｒが入口側の幅Ｗｆよりも狭い駐車空間１１０を検出する例について説明した。これに対し、入口側の幅Ｗｆが奥側の幅Ｗｒよりも狭い駐車空間についても、自車両２００が駐車できる駐車空間を図３のフローチャートにより検出できる。
【００５７】
（２）上記実施形態では、探査波として超音波を照射する超音波センサを駐車空間を探索する探索部として使用した。これに対し、探査波としてミリ波を照射するミリ波レーダ、または探査波としてレーザを照射するＬＩＤＡＲを探索部として使用してもよい。
【００５８】
（３）上記実施形態では、自車両の全長方向が奥行きである並列駐車の場合の駐車空間を検出する例について説明した。これに対し、自車両の車幅方向が奥行きである縦列駐車の場合にも、駐車空間の入口側の幅と奥側の幅との両方が車両の全長よりも大きいか否かに基づいて、自車両が駐車空間に駐車可能か否かを判定してもよい。
【００５９】
（４）上記実施形態では、平面座標系の自車両の位置を自車両の車速と操舵角とに基づいて算出した。これに対し、測位衛星から受信する測位信号に基づいて測位する自車両の絶対位置の精度が高い場合には、測位信号に基づいて測位する自車両の絶対位置を使用してもよい。
【００６０】
（５）上記実施形態における一つの構成要素が有する複数の機能を複数の構成要素によって実現したり、一つの構成要素が有する一つの機能を複数の構成要素によって実現したりしてもよい。また、複数の構成要素が有する複数の機能を一つの構成要素によって実現したり、複数の構成要素によって実現される一つの機能を一つの構成要素によって実現したりしてもよい。また、上記実施形態の構成の一部を省略してもよい。また、上記実施形態の構成の少なくとも一部を、他の上記実施形態の構成に対して付加又は置換してもよい。尚、特許請求の範囲に記載した文言のみによって特定される技術思想に含まれるあらゆる態様が本開示の実施形態である。
【００６１】
（６）上述した駐車空間検出装置３０の他、当該駐車空間検出装置３０を構成要素とする駐車空間検出システム２、当該駐車空間検出装置３０としてコンピュータを機能させるための駐車空間検出プログラム、この駐車空間検出プログラムを記録した記録媒体、駐車空間検出方法など、種々の形態で本開示を実現することもできる。
【符号の説明】
【００６２】
２：駐車空間検出システム、１０：フロント超音波センサ（探索部）、１２：右超音波センサ（探索部）、１４：左超音波センサ（探索部）、１６：リヤ超音波センサ（探索部）、２０：フロントカメラ（探索部）、２２：右カメラ（探索部）、２４：左カメラ（探索部）、２６：リヤカメラ（探索部）、３０：駐車空間検出装置、４０：超音波処理部（車両判定部）、５２：画像処理部（車両判定部、幅算出部、駐車判定部、通知部）、７０：走行制御装置
【図１】
2018190220.tif 000003
【図２】
2018190220.tif 000004
【図３】
2018190220.tif 000005
【図４】
2018190220.tif 000006